(57)【要約】【課題】音声で全てのナビゲーションが可能となり、一般的に普及されている既存の携帯電話機で簡単に利用できるようにする。【解決手段】携帯電話機Ｐでの音声検索システムにより、またはＱＲコード１０や電話番号でアクセスすることで、当該携帯電話機Ｐからの情報により再生する音声ファイルを識別するためのクライアント識別システム２を通過してポータルサイト３に入り、音声情報配信システム４で携帯電話機Ｐから指定した音声ファイルを音声ファイルサーバ６から取得して、ストリーミング形式あるいはダウンロード形式に変換した後、携帯電話機Ｐへ配信を行うものとする。【選択図】図１
2007329526.tif 000002
【特許請求の範囲】
【請求項１】
携帯電話機での音声検索システムにより、またはＱＲコードや電話番号でアクセスすることで、当該携帯電話機からの情報により再生する音声ファイルを識別するクライアント識別システムを通過してポータルサイトに入り、音声情報配信システムで携帯電話機から指定された音声ファイルを音声ファイルサーバから取得して、ストリーミング形式あるいはダウンロード形式に変換した後、携帯電話機へ配信を行うことを特徴とした携帯電話機を使用したナビゲーション方法。
【請求項２】
配信は、定額制データ通信で行うものとする請求項１記載の携帯電話機を使用したナビゲーション方法。
【請求項３】
音声のデータ作製には、パソコン合成音声システム、または音源ファイル作成により、パソコンに日本語もしくは外国語による文字を入力することで合成された音声を作成する請求項１または２記載の携帯電話機を使用したナビゲーション方法。
【請求項４】
携帯電話機から音声ファイルサーバへの接続時に携帯電話機の機種を識別するクライアント識別システムと、携帯電話機に合致した仕様の音声をホームページ、画像と共に音声ファイルサーバから取得するポータルサイトと、携帯電話機から指定された音声ファイルを音声ファイルサーバから取得し、ストリーミング変換あるいはダウンロード変換して当該携帯電話機へ配信させる音声情報配信システムと、記録作成された音声を、各携帯電話機の機種仕様に変換し、音声ファイル化して音声ファイルサーバに保存する音声ファイルコンバートシステムとを備えて成ることを特徴とする携帯電話機を使用したナビゲーションシステム。
【発明の詳細な説明】
【技術分野】
【０００１】
本発明は、例えば観光地等でのガイドを携帯電話機を使用して音声で聞けるようにした携帯電話機を使用したナビゲーション方法とナビゲーションシステムに関する。
【背景技術】
【０００２】
従来、この種のナビゲーションシステムとしては、例えばナビタイム等があり、主として地図や文字で案内を行っていた。また、一部にある専用端末機、例えばバーコードリーダー付の専用携帯電話機を製作することで使用可能としたナビゲーションシステムも存在する。例えば、特許文献１に開示されているように、観光案内書、地図の詳細情報を記憶したメモリーおよびバーコードを利用して、紙面である観光案内書、地図を補完するデジタル情報を提供できるバーコードを内蔵した観光案内書、地図、観光案内情報、または地図情報を表示する付加情報表示方法がある。
【０００３】
すなわち、これは、地図上の各位置における地図の情報や、各ページの観光案内情報を補足するための付加情報に対応する情報識別子を表すバーコードを、情報源としての該位置に備えた観光案内書を製作し、バーコードが表す情報を読み取るバーコードリーダユニットを備えた電子機器が、前記観光案内書上のバーコードのひとつに近づけられることで、電子機器は、バーコードリーダユニットを介してバーコードが表す情報識別子を読み取り、読み取った情報識別子に対応する付加情報を記憶部から読み出し、該付加情報を可聴表示または可視表示するようにしている。
【特許文献１】特開２００４−５４４６５号公報
【発明の開示】
【発明が解決しようとする課題】
【０００４】
しかしながら、従来においては、ナビタイムを利用するに際し、ポータルサイト等に接続するときの面倒さがあって、高齢者や子供等は簡単に使用することができないものであった。また、バーコードリーダユニットを介してバーコードが表す情報識別子を読み取り、読み取った情報識別子に対応する付加情報を記憶部から読み出す場合には、特許文献１に開示されているような専用端末機を必要とし、ａｕ、ｄｏｃｏｍｏ、ｖｏｄａｆｏｎｅ（登録商標）等の既存の携帯電話機で、簡単に使用することができないという問題点を有していた。
【０００５】
そこで、本発明は、叙上のような従来存した諸事情に鑑み案出されたもので、ポータルサイト等に接続するときの面倒さを無くし、高齢者や子供まで簡単に接続することができ、音声で全てのナビゲーションが可能となり、また、一般的に普及されている既存の携帯電話機で簡単に利用することができる携帯電話機を使用したナビゲーション方法とナビゲーションシステムを提供することを目的とする。
【課題を解決するための手段】
【０００６】
上述した課題を解決するため、本発明に係る携帯電話機を使用したナビゲーション方法にあっては、携帯電話機での音声検索システムにより、またはＱＲコードや電話番号でアクセスすることで、当該携帯電話機からの情報により再生する音声ファイルを識別するクライアント識別システムを通過してポータルサイトに入り、音声情報配信システムで携帯電話機から指定された音声ファイルを音声ファイルサーバから取得して、ストリーミング形式あるいはダウンロード形式に変換した後、携帯電話機へ配信を行うことを特徴とするものである。
【０００７】
配信は、定額制データ通信で行うものとなっている。
【０００８】
音声のデータ作製には、パソコン合成音声システム、または音源ファイル作成により、パソコンに日本語もしくは外国語による文字を入力することで合成された音声を作成するものである。
【０００９】
また、本発明に係る携帯電話機を使用したナビゲーションシステムにあっては、携帯電話機から音声ファイルサーバへの接続時に携帯電話機の機種を識別するクライアント識別システムと、携帯電話機に合致した仕様の音声をホームページ、画像と共に音声ファイルサーバから取得するポータルサイトと、携帯電話機から指定された音声ファイルを音声ファイルサーバから取得し、ストリーミング変換あるいはダウンロード変換して当該携帯電話機へ配信させる音声情報配信システムと、記録作成された音声を、各携帯電話機の機種仕様に変換し、音声ファイル化して音声ファイルサーバに保存する音声ファイルコンバートシステムとを備えて成るものである。
【発明の効果】
【００１０】
本発明によれば、ポータルサイト等に接続するときの面倒さを無くし、高齢者や子供まで簡単に接続することができ、音声で全てのナビゲーションが可能となり、また、一般的に普及されている既存の携帯電話機で簡単に利用することができる。
【００１１】
すなわち、本発明は、携帯電話機での音声検索システムにより、またはＱＲコードや電話番号でアクセスすることで、当該携帯電話機からの情報により再生する音声ファイルを識別するクライアント識別システムを通過してポータルサイトに入り、音声情報配信システムで携帯電話機から指定された音声ファイルを音声ファイルサーバから取得して、ストリーミング形式あるいはダウンロード形式に変換した後、携帯電話機へ配信を行うものとしたからであり、これにより、一般的に普及されている既存の携帯電話機でもって、例えば全国の観光名所や遊園地等のアトラクション説明、リアルタイムでの乗り物の待ち時間等の案内を高齢者や子供まで音声で簡単に聞くことができる。
【００１２】
配信は、定額制データ通信で行うものとしたので、従来の電話案内でのテープ録音式と違い、通信料金が通常の通話料に比べて格安で済む。
【００１３】
音声のデータ作製には、パソコン合成音声システム、または音源ファイル作成により、パソコンに日本語もしくは外国語による文字を入力することで合成された音声を作成するので、簡単に音声データが作成でき、これにより、全国の観光施設や名所等を日本語もしくは外国語の音声で誰でも簡単に聞くことができる。しかも、音声による観光ガイドの始まる冒頭にスポンサーのＣＭ音声が聞こえるようにすることもできる。
【００１４】
携帯電話機から音声ファイルサーバへの接続時に携帯電話機の機種を識別するクライアント識別システムと、携帯電話機に合致した仕様の音声をホームページ、画像と共に音声ファイルサーバから取得するポータルサイトと、携帯電話機から指定された音声ファイルを音声ファイルサーバから取得し、ストリーミング変換あるいはダウンロード変換して当該携帯電話機へ配信させる音声情報配信システムと、記録作成された音声を、各携帯電話機の機種仕様に変換し、音声ファイル化して音声ファイルサーバに保存する音声ファイルコンバートシステムとを備えて成るので、ポータルサイト等に接続するときの面倒さを無くし、高齢者や子供まで簡単に接続することができ、音声で全てのナビゲーションが可能となり、また、一般的に普及されている既存の携帯電話機で簡単に利用することができるナビゲーションシステムを容易に構築することができる。
【００１５】
すなわち、本発明のポータルサイトは、管理機能を有し、随時更新を行うことで、最新の情報を携帯電話機の使用者に伝えることができる。また、本発明の音声情報配信システムは、待ち時間を飛躍的に短縮することができ、使用者に対しスムーズに音声を提供することができる。さらに、音声ファイルコンバートシステムは、高度な技術を持ち合わせていない人員でも簡単に音声ファイルを作成することができ、しかも当該システム自体の管理機能により、随時更新を行うことで最新の音声情報を音声ファイルサーバに搭載することができる。
【発明を実施するための最良の形態】
【００１６】
以下、図面を参照して本発明を実施するための最良の一形態を説明する。
図において示される符号１は、携帯電話機Ｐを使用したナビゲーションシステムを構成するシステム機構であり、該システム機構１は、図１に示すように、クライアント識別システム２、ポータルサイト３、音声情報配信システム４、音声ファイルコンバートシステム５、音声ファイルサーバ６、地域情報サーバ７それぞれから概ね構成されている。
【００１７】
そして、携帯電話機Ｐとしては、ＣＰＵ（処理部）と音声検索システム（不図示）を備え、例えばａｕ、ｄｏｃｏｍｏ、ｖｏｄａｆｏｎｅ（登録商標）等の既存の例えばＣＣＤカメラ付端末機種が使用される。この音声検索システムは、携帯電話機Ｐから観光名所の名称である例えば「京都の二条城」と発言することでクライアント識別システム２を介してポータルサイト３へアクセスでき、これによって「京都の二条城」に関する解説情報が携帯電話機Ｐから音声、例えば日本語、または英語、韓国語、中国語等の外国語等で気軽に聞けるようにしてある。この携帯電話機Ｐへの配信は、定額制データ通信で行う。
【００１８】
また、図３に示すように、携帯電話機Ｐの例えばＣＣＤカメラ側には、バーコードリーダユニット８を備え、このバーコードリーダユニット８の発光部９によって、バーコードとして例えば水平方向と垂直方向の２次元方向に情報を書き込んだ所謂ＱＲコード１０をＣＣＤカメラを見ながらスキャンすると、クライアント識別システム２を介してポータルサイト３へアクセスできるようにする。
【００１９】
このＱＲコード１０は、図３に示すように、例えば駅周辺の観光案内のパンフレット１１において、各観光名所の説明の場所に印刷されている。このとき観光案内書は、観光施設情報、レストラン・ショッピング情報、宿泊施設情報等の観光情報を提供する。１つの観光施設についてのパンフレットでも良いし、複数の地域の観光情報を提供する書籍でも良い。また、観光案内書の地図上にＱＲコード１０を印刷し、地図上における施設の情報を提供するようにしても良い。尚、シール状のＱＲコード１０を貼り付けることもできる。また、製造工程中に書き込むようにしても良い。また、ＱＲコード１０の替わりに、電話番号、さらには光の反射率の違いを利用して情報を書き込んだバーコード、またはカラーバーコード等を用いても良い。
【００２０】
また、システム機構１を構成するクライアント識別システム２は、携帯電話機Ｐから音声ファイルサーバ６および地域情報サーバ７への接続があった時に、その接続してきた携帯電話機Ｐが何処のメーカ製の機種であるかを識別・判別するものである。このとき、地域情報サーバ７は、地域情報を管理する画面により情報を蓄積するためのサイト情報管理機能を備えており、ポータルサイト３に地域情報やダウンロード画面を表示する。音声ファイルサーバ６には、例えばａｕ（３ＧＰＰまたは３ＧＰＰ２）、ｄｏｃｏｍｏ（ＭＡ２）、ｖｏｄａｆｏｎｅ（ａｍｒまたはｍｐ４）等の携帯各社の音声ファイルの設置と管理が行われ、また、地域情報サーバ７には、ホームページ、動画・静止画の画像等を搭載しているが、これらは各メーカの機種に合わせた仕様のものを用意する必要がある。そして、クライアント識別システム２によって、接続してきた携帯電話機Ｐが何処のメーカの機種であるかを自動判別して、当該メーカの仕様に準じた音声、ホームページ、動画・静止画の画像等を獲得する。
【００２１】
また、システム機構１を構成するポータルサイト３は、例えば地域情報の紹介、店舗情報、催し物の紹介等の情報提供を、画像、音声を使用して携帯電話機Ｐの使用者に行うものである。このポータルサイト３自体は管理機能を有しており、随時更新を行うことで最新の情報を携帯電話機Ｐの使用者に提供することが可能である。また、ポータルサイト３に使用するホームページ、動画・静止画の画像等は地域情報サーバ７に搭載されており、これらは携帯電話機Ｐの各メーカの機種に合わせた仕様のものを地域情報サーバ７から取得し出力される。
【００２２】
また、システム機構１を構成する音声情報配信システム４は、携帯電話機Ｐから指定された音声ファイルを音声ファイルサーバ６から取得し、ストリーミング形式あるいはダウンロード形式に変換した後に、携帯電話機Ｐへの配信を行うものである。ストリーミング形式は、従来の携帯電話機Ｐような待ち時間の長い一括ダウンロード形式に比べて、サイズの大きなファイルを短時間で精度良く受信できるもとなるため望ましい。しかも、このようなストリーミング形式で携帯電話機Ｐに配信を行うことで、携帯電話機Ｐの使用者を待たせることなくスムーズに音声を提供することができる。また、音声情報配信システム４自体には、管理機能を備えており、携帯電話機Ｐの機種の追加や機能の変更、音声ファイルの方式の変更等に容易に対応できるようにしてある。
【００２３】
また、システム機構１を構成する音声ファイルコンバートシステム５は、例えば録音テープ等で作成された音声情報を、携帯電話機Ｐの各メーカの仕様に変換し、音声ファイル化して音声ファイルサーバ６に保存するものである。したがって、音声ファイルは音源ファイルを基に自動生成され、携帯電話機Ｐへの配信はストリーミング再生で行うため、携帯電話機Ｐ側に音声ファイルが残らないものとしている。従来では、この音声ファイルを作成する場合には、携帯電話機Ｐの各社技術を網羅したノウハウが必要となり、高度な技術者が必要となるのであるが、この音声ファイルコンバートシステム５によれば、高度な技術を持ち合わせていない人員でも簡単に音声ファイル作成が行える。さらに、音声による、例えば観光ガイドの始まる冒頭に、スポンサーのＣＭ音声が聞こえるようにしても良い。
【００２４】
また、この音声ファイルコンバートシステム５自体は管理機能を有しており、随時更新を行うことで最新の音声情報を音声ファイルサーバ６に搭載することが可能である。さらに、音声のデータ作製には、パソコン合成音声システム、または音源ファイル作成により、パソコンに例えば日本語、または英語、韓国語、中国語等の外国語等による文字を入力することで合成された音声を作成する。
【００２５】
次に、以上のように構成された最良の形態についての使用、動作の一例を、図２に示すフォローチャートに基づき説明する。
【００２６】
先ず、ステップ１にて、音声のデータ作製に際し、パソコン合成音声システム、または音源ファイル作成により、パソコンに日本語もしくは外国語による文字を入力することで合成された音声を作成する。そして、システム機構１における音声ファイルコンバートシステム５により、随時更新を行うことで最新の音声情報が音声ファイルサーバ６に搭載される。この音声としては、日本語以外に、英語、韓国語、中国語等の外国語等でも聞けるようにする。
【００２７】
ステップ２にて、携帯電話機Ｐの音声検索システムで検索する。すなわち、携帯電話機Ｐから観光名所の名称である例えば「京都の二条城」と発言することで、クライアント識別システム２を介してポータルサイト３へアクセスする。
【００２８】
あるいは、携帯電話機Ｐのバーコードリーダユニットの発光部で、例えば観光案内書の地図上に印刷されたＱＲコード１０をスキャンすることにより、システム機構１を構成するポータルサイト３にクライアント識別システム２を介してアクセスする。
【００２９】
このとき、ステップ３にて、クライアント識別システム２によって、携帯電話機Ｐからの情報により再生する音声ファイルを識別する。すなわち、クライアント識別システム２は、携帯電話機Ｐから音声ファイルサーバ６および地域情報サーバ７への接続があった時に、その接続してきた携帯電話機Ｐが何処のメーカ製の機種であるか、例えばａｕ、ｄｏｃｏｍｏ、ｖｏｄａｆｏｎｅ等の携帯電話機Ｐいずれであるかを識別・判別する。
【００３０】
ステップ４にて、音声情報配信システム４で携帯電話機Ｐから指定された音声ファイルを音声ファイルサーバ６から取得し、ストリーミング形式に変換した後に、携帯電話機Ｐへ配信を行う。このとき、配信は、定額制データ通信で行う。
【００３１】
これによって例えば「京都の二条城」に関する解説が携帯電話機Ｐから音声、例えば日本語、または英語、韓国語、中国語等の外国語等で気軽に聞けるものとなる。
【図面の簡単な説明】
【００３２】
【図１】本発明を実施するための最良の形態におけるシステム機構の一例を示す構成図である。
【図２】同じくシステム機構の動作を説明するフローチャートである。
【図３】同じく携帯電話機によるナビゲーション使用状態を示す斜視図である。
【符号の説明】
【００３３】
Ｐ    携帯電話機
１    システム機構
２    クライアント識別システム
３    ポータルサイト
４    音声情報配信システム
５    音声ファイルコンバートシステム
６    音声ファイルサーバ
７    地域情報サーバ
８    バーコードリーダユニット
９    発光部
１０  ＱＲコード
【図１】
2007329526.tif 000003
【図２】
2007329526.tif 000004
【図３】
2007329526.tif 000005